(57)【要約】【課題】本発明は、ノートパソコンの電源供給回路を提供する。【解決手段】本発明のノートパソコンの電源供給回路は、第一出力端子及び第二出力端子をそれぞれ有するメインバッテリ及び予備バッテリを備え、メインバッテリの第一出力端子と第二出力端子との間に第一制御回路が接続され、予備バッテリの第一出力端子及び第二出力端子とメインバッテリの第一出力端子との間に第二制御回路が接続され、メインバッテリとノートパソコンとの接続を断開する時、メインバッテリの第一出力端子が第二出力端子よりまずノートパソコンとの接続を断開して短い時間差を形成し、前記時間差内で、メインバッテリは第一制御回路によってノートパソコンとの接続を断開し、予備バッテリは第二制御回路によってノートパソコンに電源を供給して、メインバッテリでノートパソコンに電源を供給する方式から予備バッテリでノートパソコンに電源を供給する方式に瞬時に変換する。【選択図】図１
2011055699.tif 000002
【特許請求の範囲】
【請求項１】
第一出力端子及び第二出力端子をそれぞれ有するメインバッテリ及び予備バッテリを備え、前記メインバッテリの第一出力端子の長さは前記メインバッテリの第二出力端子の長さより小さく、前記メインバッテリの第一出力端子と第二出力端子との間に第一制御回路が接続され、前記予備バッテリの第一出力端子及び第二出力端子と前記メインバッテリの第一出力端子との間に第二制御回路が接続され、前記メインバッテリは、前記第一制御回路によってノートパソコンに電源を供給し、前記予備バッテリは、前記第二制御回路によってノートパソコンとの接続を断開し、前記メインバッテリと前記ノートパソコンとの接続を断開する時、前記メインバッテリの第二出力端子に比べて、前記メインバッテリの第一出力端子がまず前記ノートパソコンとの接続を断開して短い時間差を形成し、前記時間差内で、前記メインバッテリは、前記第一制御回路によって前記ノートパソコンとの接続を断開し、前記予備バッテリは、前記第二制御回路によって前記ノートパソコンに電源を供給し、従って前記メインバッテリで前記ノートパソコンに電源を供給する方式から前記予備バッテリで前記ノートパソコンに電源を供給する方式に瞬時に変換することを特徴とするノートパソコンの電源供給回路。
【請求項２】
前記第一制御回路は、第一電界効果トランジスタ、第二電界効果トランジスタ及び第三電界効果トランジスタを備え、前記第一電界効果トランジスタのソース電極は、前記第二電界効果トランジスタのソース電極に電気接続し、前記第一電界効果トランジスタ及び前記第二電界効果トランジスタは、どちらもＰチャンネル増強モードの電界効果トランジスタであり、前記第三電界効果トランジスタは、Ｎチャンネル増強モードの電界効果トランジスタであり、前記第一電界効果トランジスタのドレイン電極は、前記メインバッテリの第二出力端子に電気接続し、前記第二電界効果トランジスタのドレイン電極は、電源出力端となり、前記第三電界効果トランジスタのゲート電極は、前記メインバッテリの第一出力端子に電気接続し、前記第三電界効果トランジスタのソース電極は接地極に接続し、前記第三電界効果トランジスタのドレイン電極は、前記第一電界効果トランジスタのゲート電極に電気接続することを特徴とする請求項１に記載のノートパソコンの電源供給回路。
【請求項３】
前記第二電界効果トランジスタのゲート電極に電気接続する充電回路をさらに備えることを特徴とする請求項２に記載のノートパソコンの電源供給回路。
【請求項４】
前記第三電界効果トランジスタのゲート電極と接地極との間に接続する第一抵抗をさらに備えることを特徴とする請求項２に記載のノートパソコンの電源供給回路。
【請求項５】
一端は、前記ノートパソコンの電源に電気接続し、他端は、前記第三電界効果トランジスタのドレイン電極と前記第一電界効果トランジスタのゲート電極との間に形成された合流点に電気接続する第二抵抗をさらに備えることを特徴とする請求項４に記載のノートパソコンの電源供給回路。
【請求項６】
前記第二制御回路は、第四電界効果トランジスタ、第五電界効果トランジスタ、第六電界効果トランジスタ及び第七電界効果トランジスタを備え、前記第四電界効果トランジスタのソース電極は、前記第五電界効果トランジスタのソース電極に電気接続し、前記第四電界効果トランジスタ及び前記第五電界効果トランジスタは、どちらもＰチャンネル増強モードの電界効果トランジスタであり、前記第六電界効果トランジスタ及び前記第七電界効果トランジスタは、どちらもＮチャンネル増強モードの電界効果トランジスタであり、前記第四電界効果トランジスタのドレイン電極は、前記予備バッテリの第一出力端子及び第二出力端子に同時に電気接続し、前記第五電界効果トランジスタのドレイン電極は、電源出力端として、前記第六電界効果トランジスタのゲート電極は、前記メインバッテリの第一出力端子に電気接続し、前記第六電界効果トランジスタのソース電極は、接地極に接続し、前記第六電界効果トランジスタのドレイン電極は、前記第七電界効果トランジスタのゲート電極に電気接続し、前記第七電界効果トランジスタのソース電極は、接地極に接続し、前記第七電界効果トランジスタのドレイン電極は、前記第四電界効果トランジスタのゲート電極に電気接続することを特徴とする請求項１に記載のノートパソコンの電源供給回路。
【請求項７】
一端は、前記ノートパソコンの電源に電気接続し、他端は、前記第六電界効果トランジスタのドレイン電極と前記第七電界効果トランジスタのゲート電極との間に形成された合流点に電気接続する第三抵抗をさらに備えることを特徴とする請求項６に記載のノートパソコンの電源供給回路。
【請求項８】
一端は、前記ノートパソコンの他の電源に電気接続し、他端は、前記第七電界効果トランジスタのドレイン電極と前記第四電界効果トランジスタのゲート電極との間に形成された合流点に電気接続する第四抵抗をさらに備えることを特徴とする請求項７に記載のノートパソコンの電源供給回路。
【発明の詳細な説明】
【技術分野】
【０００１】
本発明は、電源供給回路に関するものであって、特にノートパソコンのバッテリを取り替える時に停電せずに作動する電源供給回路に関するものである。
【背景技術】
【０００２】
ノートパソコンのような電子製品は、直流電源を採用する。一般的にノートパソコンは電源アダプター又はバッテリによって電源を供給する。電源アダプターは、１１０Ｖ−２２０Ｖ交流電を提供する固定場所でノートパソコンに電源を提供し、且つノートパソコンに充電するが、ただ交流電を提供する固定場所で使用することができる。上述のような電源の局限性、使用範囲及び電線の長さなどがノートパソコンの使用性に影響することを避けるために、通常バッテリによって電源を供給する。
【０００３】
計算機技術の進歩に伴い、ノートパソコンのＣＰＵ（中央処理装置）及びＶＧＡ（ビデオ・グラフィックス・アレイ）の性能も絶えず向上し、機能の完備に伴い、人々は周辺素子をだんだん重視するようになっている。バッテリの材料を改良してその使用寿命を延長し、外出する人々はバッテリを主要な電源供給源とする。従来のノートパソコンにおいて、通常１つのメインバッテリでシステムに電源を供給し、電源アダプターに接続せず且つメインバッテリの電力量が極めて低い場合、一般的にメインバッテリを取り外してから他の予備バッテリを取り付ける。しかし、メインバッテリを取り替える場合、パワーオフしてからメインバッテリを取り外し、且つ予備バッテリを取り付けてから再びパワーオンしなければならず、使用者に不便をもたらす。又、使用者がパワーオフせずにメインバッテリを取り外すと、操作データが壊れ、重要な資料を失う可能性もある。
【発明の概要】
【発明が解決しようとする課題】
【０００４】
本発明の目的は、前記課題を解決し、ノートパソコンのバッテリーを取り替える時に停電せずに作動する電源供給回路を提供することである。
【課題を解決するための手段】
【０００５】
本発明に係るノートパソコンの電源供給回路は、第一出力端子及び第二出力端子をそれぞれ有するメインバッテリ及び予備バッテリを備え、前記メインバッテリの第一出力端子の長さはその第二出力端子の長さより小さく、前記メインバッテリの第一出力端子と第二出力端子との間に第一制御回路が接続され、前記予備バッテリの第一出力端子及び第二出力端子と前記メインバッテリの第一出力端子との間に第二制御回路が接続され、前記メインバッテリは、前記第一制御回路によってノートパソコンに電源を供給し、前記予備バッテリは、前記第二制御回路によってノートパソコンとの接続を断開し、前記メインバッテリと前記ノートパソコンとの接続を断開する時、前記メインバッテリの第二出力端子に比べて、前記メインバッテリの第一出力端子がまず前記ノートパソコンとの接続を断開して短い時間差を形成し、前記時間差内で、前記メインバッテリは、前記第一制御回路によって前記ノートパソコンとの接続を断開し、前記予備バッテリは、前記第二制御回路によって前記ノートパソコンに電源を供給し、従って前記メインバッテリで前記ノートパソコンに電源を供給する方式から前記予備バッテリで前記ノートパソコンに電源を供給する方式に瞬時に変換する。
【発明の効果】
【０００６】
本発明に係るノートパソコンの電源供給回路は、メインバッテリの第一出力端子と第二出力端子との間に接続される第一制御回路と、予備バッテリの第一出力端子及び第二出力端子と前記メインバッテリの第一出力端子との間に接続される第二制御回路と、を備え、前記メインバッテリの第一出力端子の長さはその第二出力端子の長さより小さいため、前記メインバッテリを抜き出す時、前記メインバッテリの第二出力端子に比べて、前記メインバッテリの第一出力端子がまず前記ノートパソコンとの接続を断開して短い時間差を形成し、前記時間差内で、前記第一制御回路と前記第二制御回路は制御状態を切り替えて、前記メインバッテリで前記ノートパソコンに電源を供給する方式から前記予備バッテリで前記ノートパソコンに電源を供給する方式に変換し、この変換過程はパワーオフを必要とせず、使用に便利である。
【図面の簡単な説明】
【０００７】
【図１】本発明の実施形態に係るノートパソコンの電源供給回路の機能ブロック図である。
【図２】本発明の実施形態に係るメインバッテリが第一制御回路によってノートパソコンに電源を供給する回路図である。
【図３】本発明の実施形態に係る予備バッテリが第二制御回路によってノートパソコンに電源を供給する回路図である。
【発明を実施するための形態】
【０００８】
以下、図面を参照して、本発明の実施形態について説明する。
【０００９】
図１を参照すると、本発明の実施形態に係るノートパソコンの電源供給回路は、ノートパソコンの電気消耗システム１０、例えばマザーボードに電源を供給するために用いられ、交流電源２０、充電回路３０、組込コントローラ４０、メインバッテリ５０、第一制御回路６０、予備バッテリ７０及び第二制御回路８０を備える。  
【００１０】
図２及び図３を参照すると、前記メインバッテリ５０及び前記予備バッテリ７０は、それぞれ複数の電気接続端子を備える。本実施形態において、前記メインバッテリ５０及び前記予備バッテリ７０は、それぞれ七つの電気接続端子を備え、第一端子及び第二端子は、全て接地極に接続し、第三端子は、予備端子として機能を広げる時に使用し、第四端子及び第五端子は、情報読取端として、前記組込コントローラ４０によってバッテリの容量、タイプ、剰余電力量などの情報を読み取り、第六端子５１、７１及び第七端子５２、７２は、出力端として、前記電気消耗システム１０に電源を出力する。前記メインバッテリ５０及び前記予備バッテリ７０は、それぞれ固定端子である第八端子及び第九端子をさらに備え、前記メインバッテリ５０及び前記予備バッテリ７０をノートパソコン内の対応する位置に接続するために用いられる。本実施形態において、前記メインバッテリ５０をマザーボードの第一バッテリスロット（図示せず）に取り外し可能に挿し込み、前記予備バッテリ７０をマザーボードの第二バッテリスロット（図示せず）に固定的に装着する。前記第一バッテリスロット及び前記第二バッテリスロットの内部には、それぞれ複数の端子が設置される。前記メインバッテリ５０を前記第一バッテリスロットに挿し込むと、前記メインバッテリ５０の七つの電気接続端子は前記第一バッテリスロット内の複数の端子に接触して電気接続し、前記メインバッテリ５０の２つの固定端子の外表面には銅箔が設置され、前記メインバッテリ５０の２つの固定端子は、前記メインバッテリ５０を前記第一バッテリスロット内に固定するとともに接地極に接続する。前記予備バッテリ７０を前記第二バッテリスロットに装着すると、前記予備バッテリ７０の七つの電気接続端子は、前記第二バッテリスロット内の複数の端子に接触して電気接続し、前記予備バッテリ７０の２つの固定端子の外表面には銅箔が設置され、前記予備バッテリ７０の２つの固定端子は、前記予備バッテリ７０を前記第二バッテリスロット内に固定するとともに接地極に接続する。前記メインバッテリ５０の第七端子５２は、前記メインバッテリ５０の第六端子５１よりやや短く、前記予備バッテリ７０の第六端子７１及び第七端子７２が接続して第一合流点７３を形成する。  
【００１１】
前記第一制御回路６０は、前記メインバッテリ５０の第六端子５１に電気接続する第一電界効果トランジスタＱ１及び第二電界効果トランジスタＱ２と、前記メインバッテリ５０の第七端子５２に電気接続する第三電界効果トランジスタＱ３と、第一抵抗Ｒ１と、第二抵抗Ｒ２と、を備える。前記第一電界効果トランジスタＱ１及び前記第二電界効果トランジスタＱ２は、どちらもＰチャンネル増強モードの金属酸化物半導体（Ｍｅｔａｌ  Ｏｘｉｄｅ  Ｓｅｍｉｃｏｎｄｕｃｔｏｒ，ＭＯＳ）電界効果トランジスタである。前記第一電界効果トランジスタＱ１のドレイン電極は、インダクターＬ１によって前記メインバッテリ５０の第六端子５１に電気接続する。前記第一電界効果トランジスタＱ１のソース電極は、前記第二電界効果トランジスタＱ２のソース電極に電気接続する。前記第二電界効果トランジスタＱ２のドレイン電極は、前記メインバッテリ５０が前記第一制御回路６０によって前記電気消耗システム１０に電源を供給する電源出力端６１とする。前記第三電界効果トランジスタＱ３は、Ｎチャンネル増強モードの金属酸化物半導体電界効果トランジスタである。前記第三電界効果トランジスタＱ３のゲート電極は、前記メインバッテリ５０の第七端子５２に電気接続する。前記第一抵抗Ｒ１の一端は、前記第三電界効果トランジスタＱ３のゲート電極に電気接続し、前記第一抵抗Ｒ１の他端は接地極に接続する。前記第三電界効果トランジスタＱ３のソース電極は接地極に接続する。前記第三電界効果トランジスタＱ３のドレイン電極は、前記第一電界効果トランジスタＱ１のゲート電極に電気接続し、前記第三電界効果トランジスタＱ３のドレイン電極と前記第一電界効果トランジスタＱ１のゲート電極との間に第二合流点６２を形成する。前記第二抵抗Ｒ２の一端は、前記マザーボードの電源ＶＤＤに電気接続し、前記第二抵抗Ｒ２の他端は、前記第二合流点６２に電気接続する。前記ＶＤＤ電源は、前記予備バッテリ７０に電圧を下げてなる特定の大きさの電源を出力する。前記第二電界効果トランジスタＱ２のゲート電極は、前記充電回路３０に電気接続する。前記ノートパソコンが電源アダプタ（図示せず）によって前記交流電源２０に接続する場合、前記組込コントローラ４０は、前記メインバッテリ５０の剰余電力量などの情報を読み取ることにより、前記充電回路３０が前記メインバッテリ５０に対して充電するか否かを制御することができる。
【００１２】
前記第二制御回路８０は、前記第一合流点７３に電気接続する第四電界効果トランジスタＱ４及び第五電界効果トランジスタＱ５と、前記メインバッテリ５０の第七端子５２に電気接続する第六電界効果トランジスタＱ６及び第七電界効果トランジスタＱ７と、第三抵抗Ｒ３と、第四抵抗Ｒ４と、を備える。前記第四電界効果トランジスタＱ４及び前記第五電界効果トランジスタＱ５は、どちらもＰチャンネル増強モードの金属酸化物半導体電界効果トランジスタである。前記第四電界効果トランジスタＱ４のドレイン電極は、インダクターＬ２によって前記第一合流点７３に電気接続する。前記第四電界効果トランジスタＱ４のソース電極は、前記第五電界効果トランジスタＱ５のソース電極に電気接続する。前記第五電界効果トランジスタＱ５のドレイン電極は、前記予備バッテリ７０が前記第二制御回路８０によって前記電源消耗システム１０に電源を供給する電源出力端８１とする。前記第五電界効果トランジスタＱ５のゲート電極は、前記充電回路３０に電気接続し、前記ノートパソコンが電源アダプタ（図示せず）によって前記交流電源２０に接続する場合、前記組込コントローラ４０は、前記予備バッテリ７０の剰余電力量などの情報を読み取ることにより、前記充電回路３０が前記予備バッテリ７０に対して充電するか否かを制御することができる。前記第六電界効果トランジスタＱ６及び前記第七電界効果トランジスタＱ７は、どちらもＮチャンネル増強モードの金属酸化物半導体電界効果トランジスタである。前記第六電界効果トランジスタＱ６のゲート電極は、前記メインバッテリ５０の第七端子５２に電気接続する。前記第六電界効果トランジスタＱ６のソース電極は接地極に接続する。前記第六電界効果トランジスタＱ６のドレイン電極は、前記第七電界効果トランジスタＱ７のゲート電極に電気接続し、前記第六電界効果トランジスタＱ６のドレイン電極と前記第七電界効果トランジスタＱ７のゲート電極との間に第三合流点８２を形成する。前記第三抵抗Ｒ３の一端は、電源ＶＤＤに電気接続し、前記第三抵抗Ｒ３の他端は、前記第三合流点８２に電気接続する。前記第七電界効果トランジスタＱ７のソース電極は、接地極に接続し、前記第七電界効果トランジスタＱ７のドレイン電極は、前記第四電界効果トランジスタＱ４のゲート電極に電気接続する。前記第七電界効果トランジスタＱ７のドレイン電極と前記第四電界効果トランジスタＱ４のゲート電極との間に第四合流点８３を形成する。前記第四抵抗Ｒ４の一端は、電源ＶＤＤに電気接続し、前記第四抵抗Ｒ４の他端は、前記第四合流点８３に電気接続する。
【００１３】
前記メインバッテリ５０及び前記予備バッテリ７０が別々に前記ノートパソコンの第一バッテリスロット及び第二バッテリスロットに取り付けられている場合、前記メインバッテリ５０の第七端子５２に高電位を形成し、さらに前記第一制御回路６０の第三電界効果トランジスタＱ３のゲート電極にも高電位を形成して、前記第三電界効果トランジスタＱ３のゲート-ソース電圧が前記第三電界効果トランジスタＱ３のオン電圧より大きいため、前記第三電界効果トランジスタＱ３がオンされるとともに、前記電源ＶＤＤは、前記第二抵抗Ｒ２、前記第三電界効果トランジスタＱ３のドレイン電極及びソース電極によって接地極と回路を形成して、前記第一電界効果トランジスタＱ１のゲート電極はドレイン電極に相対して低電位になり、前記第一電界効果トランジスタＱ１がオンされる。前記第一電界効果トランジスタＱ１のソース電極は前記第二電界効果トランジスタＱ２のソース電極に電気接続するため、前記メインバッテリ５０は、前記第六端子５１、前記第一電界効果トランジスタＱ１及び前記第二電界効果トランジスタＱ２によって前記電源出力端６１と通路を形成し、前記メインバッテリ５０は、前記ノートパソコンに電源を供給することができる。
【００１４】
前記メインバッテリ５０の第七端子５２に高電位を形成するため、前記第二制御回路８０の第六電界効果トランジスタＱ６のゲート電極にも高電位を形成して、前記第六電界効果トランジスタＱ６のゲート-ソース電圧が前記第六電界効果トランジスタＱ６のオン電圧より大きいため、前記第六電界効果トランジスタＱ６がオンされるとともに、前記電源ＶＤＤは、前記第三抵抗Ｒ３、前記第六電界効果トランジスタＱ６のドレイン電極及びソース電極によって接地極と回路を形成して、前記第七電界効果トランジスタＱ７のゲート電極は低電位になり、前記第七電界効果トランジスタＱ７のゲート-ソース電圧が前記第七電界効果トランジスタＱ７のオン電圧より小さいため、前記第七電界効果トランジスタＱ７はクローズする。この時、前記第四合流点８３に電気接続する前記電源ＶＤＤ及び前記第四抵抗Ｒ４は、前記第四電界効果トランジスタＱ４のゲート電極がドレイン電極に相対して高電位になることにして、前記第四電界効果トランジスタＱ４はクローズする。この時、前記第四電界効果トランジスタＱ４がクローズするため、前記予備バッテリ７０の第六端子７１及び第七端子７２と前記電源出力端８１との間には断路を形成して、前記予備バッテリ７０は、前記ノートパソコンに電源を供給することができない。
【００１５】
前記メインバッテリ５０の電力量が不足する時、システムから警告を出力して使用者に知らせる。この時、使用者はノートパソコンの第一バッテリスロットから前記メインバッテリ５０を抜き出す。使用者がノートパソコンの第一バッテリスロットから前記メインバッテリ５０を抜き出す時、前記第七端子５２が前記第六端子５１より短いため、前記第六端子５１に比べて、前記第七端子５２がまず前記ノートパソコンとの接続を断開して、短い時間差を形成する。前記時間差内で、前記第七端子５２は高電位から低電位に変換し、前記第六端子５１は依然として前記第一バッテリスロット内の端子に電気接続して高電位を保持する。前記メインバッテリ５０の第七端子５２が低電位になるため、前記第一制御回路６０の第三電界効果トランジスタＱ３のゲート-ソース電圧が前記第三電界効果トランジスタＱ３のオン電圧より小さく、前記第三電界効果トランジスタＱ３はクローズする。前記第三電界効果トランジスタＱ３のゲート電極と接地極との間に接続する第一抵抗Ｒ１は、前記第三電界効果トランジスタＱ３が即時にクローズすることを確保する。前記第三電界効果トランジスタＱ３がクローズするため、前記第二合流点６２に接続される電源ＶＤＤ及び前記第二抵抗Ｒ２は、前記第一電界効果トランジスタＱ１のゲート電極がドレイン電極に相対して高電位になることにして、前記第一電界効果トランジスタＱ１はクローズする。前記第一電界効果トランジスタＱ１がクローズするため、前記メインバッテリ５０の第六端子５１と前記電源出力端６１との間には断路を形成して、前記メインバッテリ５０は、前記ノートパソコンに電源を供給することができない。
【００１６】
前記時間差内で、前記第七端子５２は低電位に変換されるため、前記第二制御回路８０の第六電界効果トランジスタＱ６のゲート-ソース電圧が前記第六電界効果トランジスタＱ６のオン電圧より小さく、前記第六電界効果トランジスタＱ６はクローズする。同時に、前記第三合流点８２に接続する前記ＶＤＤ電源及び前記第三抵抗Ｒ３は、前記第七電界効果トランジスタＱ７のゲート-ソース電圧が前記第七電界効果トランジスタＱ７のオン電圧より大きいことにして、前記第七電界効果トランジスタＱ７はオンする。前記第七電界効果トランジスタＱ７がオンするため、前記電源ＶＤＤは、前記第四抵抗Ｒ４、前記第七電界効果トランジスタＱ７のドレイン電極及びソース電極によって接地極と回路を形成して、前記第四電界効果トランジスタＱ４のゲート電極がドレイン電極に相対して低電位になることにして、前記第四電界効果トランジスタＱ４はオンする。前記第四電界効果トランジスタＱ４のソース電極は前記第五電界効果トランジスタＱ５のソース電極に電気接続するため、前記予備バッテリ７０は、前記第六端子７１、前記第七端子７２、前記第四電界効果トランジスタＱ４及び前記第五電界効果トランジスタＱ５によって前記電源出力端８１と通路を形成し、前記予備バッテリ７０は、前記ノートパソコンに電源を供給し、前記メインバッテリ５０で前記ノートパソコンに電源を供給する方式から前記予備バッテリ７０で前記ノートパソコンに電源を供給する方式に変換する。
【００１７】
使用者が取り替えることができる他のメインバッテリを持っている場合、前記予備バッテリ７０の電力量が不足すると、前記他のメインバッテリを直接に第一バッテリスロットに挿入して使用することができる。
【００１８】
本発明に係るノートパソコンの電源供給回路は、前記ノートパソコンのメインバッテリ５０の電力量が不足する場合、パワーオフせずに、前記メインバッテリ５０を直接に抜き出して、前記メインバッテリ５０で前記ノートパソコンに電源を供給する方式から予備バッテリ７０で前記ノートパソコンに電源を供給する方式に瞬時に変換する。だから、前記ノートパソコンの電源供給回路は、電力量が不足する前記メインバッテリ５０を抜き出したとしても、前記ノートパソコンが続いて作動することを確保して、使用者がパワーオフしなければバッテリを取り替えることができない問題を解決し、又はパワーオフせずにメインバッテリを取り外したとしても重要な資料を失わなく、使用者に便利をもたらす。
【００１９】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２０】
１０  電気消耗システム
２０  交流電源
３０  充電回路
４０  組込コントローラ
５０  メインバッテリ
５１，７１  第六端子
５２，７２  第七端子
６０  第一制御回路
６１，８１  電源出力端
６２  第二合流点
７０  予備バッテリ
７３  第一合流点
８０  第二制御回路
８２  第三合流点
８３  第四合流点
Ｌ１，Ｌ２  インダクター
Ｑ１  第一電界効果トランジスタ
Ｑ２  第二電界効果トランジスタ
Ｑ３  第三電界効果トランジスタ
Ｑ４  第四電界効果トランジスタ
Ｑ５  第五電界効果トランジスタ
Ｑ６  第六電界効果トランジスタ
Ｑ７  第七電界効果トランジスタ
Ｒ１  第一抵抗
Ｒ２  第二抵抗
Ｒ３  第三抵抗
Ｒ４  第四抵抗
【図１】
2011055699.tif 000003
【図２】
2011055699.tif 000004
【図３】
2011055699.tif 000005